(57)【要約】【課題】複数の箔ロールを用いた箔押しにおいて、入稿データの画像全体に２種類以上の箔オブジェクトが点在する場合でも、箔ロールを交換することなく箔押し印刷を可能とする。【解決手段】本発明の一態様は、箔用画像生成部が、箔画像に２つの箔ロールの境界を跨ぐ箔オブジェクトはない場合に、第１の箔用印刷データの第１箔画像及び第２の箔用印刷データの第２箔画像のそれぞれを境界で分割し、第１箔画像及び第２箔画像との間で境界を挟む一方の分割箔画像と他方の分割箔画像を入れ替えて第１合成箔画像及び第２合成箔画像を生成し、第２合成箔画像を所定の角度回転させる処理を行う。【選択図】図７
2018062095.tif 000002
【特許請求の範囲】
【請求項１】
第１の色の第１箔ロールと第２の色の第２箔ロールとが通紙方向に対し垂直な方向に隣接して配置された箔押し機で箔押し処理が行われることにより用紙上に形成される、前記第１の色の箔オブジェクトのみを含む第１箔画像で構成される第１の箔用印刷データ、及び、前記第２の色の箔オブジェクトのみを含む第２箔画像で構成される第２の箔用印刷データから、箔オブジェクトを抽出し、前記第１箔ロールによる箔押し処理が行われる領域である第１領域と前記第２箔ロールによる箔押し処理が行われる領域である第２領域との境界を跨ぐ箔オブジェクトがあるか否かを判定する跨ぎ判定部と、
前記跨ぎ判定部が前記境界を跨ぐ箔オブジェクトはないと判定した場合に、前記第１の箔用印刷データの前記第１箔画像及び前記第２の箔用印刷データの前記第２箔画像のそれぞれを前記境界で分割し、前記第１箔画像及び前記第２箔画像との間で前記境界を挟む一方の分割箔画像と他方の分割箔画像を入れ替えて第１合成箔画像及び第２合成箔画像を生成する処理を行うとともに、前記第２合成箔画像を所定の角度回転させる処理を行い、前記第１合成箔画像で構成される第１の合成箔用印刷データ、及び回転後の前記第２合成箔画像で構成される第２の合成箔用印刷データを生成する合成箔用印刷データ生成部と、を備える
情報処理装置。
【請求項２】
前記跨ぎ判定部が前記境界を跨ぐ箔オブジェクトがあると判定した場合に、前記境界を跨ぐ箔オブジェクトが前記境界を跨がなくなるよう前記第１箔画像及び前記第２箔画像の位置を変更する画像処理を行う箔画像調整部、を更に備える
請求項１に記載の情報処理装置。
【請求項３】
前記箔画像調整部は、前記第１箔画像及び前記第２箔画像を前記境界に垂直な方向へ移動させる画像処理を行う
請求項２に記載の情報処理装置。
【請求項４】
前記箔画像調整部は、前記第１箔画像及び前記第２箔画像を回転させる画像処理を行う
請求項２に記載の情報処理装置。
【請求項５】
前記箔画像調整部は、前記第１箔画像及び前記第２箔画像を前記境界に垂直な方向へ移動させた後、前記第１箔画像及び前記第２箔画像を回転させる画像処理を行う
請求項２に記載の情報処理装置。
【請求項６】
前記箔画像調整部が前記箔画像を回転させる角度は、前記箔画像が前記境界を跨がなくなる角度の中で、前記用紙のサイズが最小となる角度である
請求項４又は５に記載の情報処理装置。
【請求項７】
前記境界が、前記用紙の前記通紙方向に垂直な幅方向を二分する中心線と一致する
請求項１に記載の情報処理装置。
【請求項８】
前記跨ぎ判定部は、前記用紙の前記通紙方向に垂直な幅方向を二分する中心線と前記境界が一致しない場合には、前記第１箔画像及び前記第２箔画像の各々を回転させない状態、並びに前記第１箔画像及び前記第２箔画像の各々を１８０度回転させた状態で、前記境界を跨ぐ箔オブジェクトがあるか否かの判定を行う
請求項１に記載の情報処理装置。
【請求項９】
前記所定の角度は、１８０度又は９０度である
請求項１に記載の情報処理装置。
【請求項１０】
前記箔画像調整部は、前記第１箔画像及び前記第２箔画像に対するページ割付設定が多面付けである場合には、多面付けされる各箔画像が、前記境界を跨ぐ箔オブジェクトが前記境界を跨がなくなるよう前記多面付けされた前記第１箔画像及び前記第２箔画像の位置を変更する画像処理を行う
請求項２に記載の情報処理装置。
【請求項１１】
入稿された印刷データから前記第１箔画像及び前記第２箔画像を除いた箔なし印刷データを生成する箔なし印刷データ生成部と、
入稿された前記印刷データから前記第１箔画像で構成される前記第１の箔用印刷データ、及び、前記第２箔画像で構成される前記第２の箔用印刷データを生成する箔用印刷データ生成部と、を更に備える
請求項１に記載の情報処理装置。
【請求項１２】
前記箔なし印刷データにおける、前記用紙の給紙方向の先頭側の断裁領域に対応する領域に、付属情報として前記箔押し機による箔押し処理時の位置決め用画像を付与する際に、前記第１の箔用印刷データ及び前記第２の箔用印刷データの各箔押し処理時の給紙方向に対応する位置に前記位置決め用画像を付与する付属情報画像合成部、を更に備える
請求項１１に記載の情報処理装置。
【請求項１３】
前記付属情報画像合成部は、前記箔なし印刷データにおける、前記用紙の給紙方向の先頭側の断裁領域に対応する領域に、前記第１の箔用印刷データ及び前記第２の箔用印刷データの各箔押し処理の順番に対応するように用紙の給紙方向及び給紙順番を表す情報を付与する
請求項１２に記載の情報処理装置。
【請求項１４】
前記箔押し機が、前記第１箔ロール及び第２箔ロールと前記通紙方向に対し垂直な方向に隣接して配置された第３の色の第３箔ロール、を更に備えており、
前記箔用印刷データ生成部は、入稿された印刷データから前記第３の色の箔オブジェクトのみを含む第３箔画像で構成される第３の箔用印刷データを生成し、
前記跨ぎ判定部は、前記第１の箔用印刷データ、前記第２の箔用印刷データ、及び前記第３の色の箔オブジェクトのみを含む第３箔画像で構成される第３の箔用印刷データの各色の箔画像に含まれる箔オブジェクトを抽出し、各色による箔押し処理が行われる境界を跨ぐ箔オブジェクトがあるか否かを判定し、前記第１〜第３の色の各箔ロールを用いて同時に箔押し処理が可能であるか否かを判定し、
前記跨ぎ判定部が各色の箔ロールを用いて同時に箔押し処理できないと判定した場合には、箔ロールの交換が最も少ない回数となるよう、各箔画像の面付けと箔押し順番の制御を行う
請求項１に記載の情報処理装置。
【請求項１５】
第１の色の第１箔ロールと第２の色の第２箔ロールとが通紙方向に対し垂直な方向に隣接して配置された箔押し機で箔押し処理が行われることにより用紙上に形成される前記第１の色の箔オブジェクト及び前記第２の色の箔オブジェクトを含む入稿データから、前記第１の色の箔オブジェクトのみを含む第１箔画像で構成される第１の箔用印刷データ、及び、前記第２の色の箔オブジェクトのみを含む第２箔画像で構成される第２の箔用印刷データを生成する手順と、
前記第１の箔用印刷データの第１箔画像及び前記第２の箔用印刷データの第２箔画像に含まれるオブジェクトを抽出し、前記第１箔ロールによる箔押し処理が行われる領域である第１領域と前記第２箔ロールによる箔押し処理が行われる領域である第２領域との境界を跨ぐ箔オブジェクトがあるか否かを判定する手順と、
前記境界を跨ぐ箔オブジェクトはないと判定された場合に、前記第１の箔用印刷データの前記第１箔画像及び前記第２の箔用印刷データの前記第２箔画像のそれぞれを前記境界で分割し、前記第１箔画像及び前記第２箔画像との間で前記境界を挟む一方の分割箔画像と他方の分割箔画像を入れ替えて第１合成箔画像及び第２合成箔画像を生成する処理を行うとともに、前記第２合成箔画像を所定の角度回転させる処理を行い、前記第１合成箔画像で構成される第１の合成箔用印刷データ、及び回転後の前記第２合成箔画像で構成される第２の合成箔用印刷データを生成する手順を、
コンピューターに実行させるためのプログラム。
【発明の詳細な説明】
【技術分野】
【０００１】
本発明は、箔押し処理のための箔用印刷データを生成する情報処理装置、印刷システム及びプログラムに関する。
【背景技術】
【０００２】
従来、金色や銀色等の箔よりなる文字や絵柄を用紙の上に形成する箔押し印刷が知られている。箔押し印刷を、用紙状にニス等の接着材を塗布し、接着剤が塗布された箇所に金属の薄膜（箔）を接着することにより行われる。
【０００３】
ここで、図１〜図２を参照して、従来の箔押し機を備えた印刷システムを説明する。図１は、従来の箔押し機を備えた印刷システムの全体構成を示す概略図である。図２は、従来の箔押し印刷（箔オブジェクトが境界を跨がない場合）の説明図である。
【０００４】
従来の箔押し印刷においては、クライアント端末１から金箔画像及び銀箔画像を含む印刷データ（入稿データ５）が入稿されると、入稿データ５は、コントローラ２により金色及び銀色の箔オブジェクト（「箔押し画像」とも呼ばれる）を除いた箔なし印刷データ６、金箔オブジェクトを含む金箔用印刷データ７ｇ、及び銀箔オブジェクトを含む銀箔用印刷データ７ｓの３種類に分割される。
【０００５】
次に、箔なし印刷データ６を印刷装置３により印刷し、ユーザーがその印刷物８を箔押し機４にセットする。一般的な箔押し機４では１種類ずつしか箔押しできないため、初めに箔押し機４に金色の箔ロールをセットし、箔押し機４が金箔用印刷データ７ｇに基づいて印刷物８に追い刷り（箔押し）する。次に、箔押し機４に銀色の箔ロールをセットし、箔押し機４が銀箔用印刷データ７ｓに基づいて追い刷り（箔押し）することで、金箔及び銀箔が押された印刷物９を作成することができる。
【０００６】
また近年、２本の箔ロールを搭載可能な箔押し機が開発されている。図２に示すように、異なる色の２本の箔ロールが通紙方向に対し垂直な方向に隣接して配置されている。境界Ｃは、金箔ロール１０ｇ（第１箔ロール）による箔押し処理が行われる領域である金箔領域１１ｇ（第１領域の一例）と、銀箔ロール１０ｓ（第２箔ロール）による箔押し処理が行われる領域である銀箔領域１１ｓ（第２領域の一例）との境界部分であり、入稿データの箔画像１２の中心と一致する。このような箔ロールを２本搭載する箔押し機は、図２のように境界Ｃを挟んで金箔オブジェクト１３ｇが左側に、銀箔オブジェクト１３ｓが右側に偏って分かれている箔画像１２であれば、金箔と銀箔を同時に箔押し可能である。
【０００７】
特許文献１には、転写箔を１つ又は複数に分割した部分箔列を送り出す部分箔ロールが設置された装置において、箔押しを行わない部分箔ロールを停止させておくための回転駆動部や軸受装置、巻取軸などの構成が開示されている。
【先行技術文献】
【特許文献】
【０００８】
【特許文献１】特開２００６−２２４６６７号公報
【発明の概要】
【発明が解決しようとする課題】
【０００９】
図３は、従来の箔押し印刷（箔オブジェクトが境界を跨ぐ場合）の説明図である。この図３のように境界Ｃを跨ぐ金箔オブジェクト１５ｇと銀箔オブジェクト１５ｓを含む箔画像１４の場合、上述した箔ロールを２本搭載した箔押し機であっても一度に箔押し処理を完了することができない。このため、従来どおり箔画像１４の幅方向（通紙方向に垂直な方向）の長さよりも長い金箔ロールと銀箔ロールを用意し、金箔ロールと銀箔ロールを交換しながら２回箔押し印刷を行う必要がある。
【００１０】
図４は、異なる複数の箔オブジェクトが点在した入稿データを示す説明図である。図４の入稿データ２０は、画像内に金箔オブジェクト２１ｇ１〜２１ｇ２，２３ｇ１、銀箔オブジェクト２１ｓ１〜２１ｓ２、２２ｓ１〜２２ｓ２、２３ｓ１が、画像の左右に点在している。この図４のように金色及び銀色の箔オブジェクトが用紙全体に散らばっている場合も、上記方法では一度に箔押し印刷が完了しないため、従来どおり金箔ロールと銀箔ロールを交換しながら２回箔押し印刷を行う必要がある。
【００１１】
特許文献１に記載の技術も複数色の箔押しの際に手間がかかり、特許文献１には上述した複数の箔ロールを搭載した箔押し機における問題を解決する方法は開示されていない。
【００１２】
本発明は、上記の状況を考慮してなされたものであって、複数の箔ロールを搭載した箔押し機において、入稿データの画像全体に２種類以上の箔オブジェクトが点在する場合でも、箔ロールを交換することなく箔押し印刷を可能とすることを目的とする。
【課題を解決するための手段】
【００１３】
本発明の一態様の情報処理装置は、跨ぎ判定部と、合成箔用印刷データ生成部を備える。
跨ぎ判定部は、第１の色の第１箔ロールと第２の色の第２箔ロールとが通紙方向に対し垂直な方向に隣接して配置された箔押し機で箔押し処理が行われることにより用紙上に形成される、第１の色の箔オブジェクトのみを含む第１箔画像で構成される第１の箔用印刷データ、及び、第２の色の箔オブジェクトのみを含む第２箔画像で構成される第２の箔用印刷データから、箔オブジェクトを抽出し、第１箔ロールによる箔押し処理が行われる領域である第１領域と第２箔ロールによる箔押し処理が行われる領域である第２領域との境界を跨ぐ箔オブジェクトがあるか否かを判定する。
合成箔用印刷データ生成部は、跨ぎ判定部が境界を跨ぐ箔オブジェクトはないと判定した場合に、第１の箔用印刷データの第１箔画像及び第２の箔用印刷データの第２箔画像のそれぞれを境界で分割し、第１箔画像及び第２箔画像との間で境界を挟む一方の分割箔画像と他方の分割箔画像を入れ替えて第１合成箔画像及び第２合成箔画像を生成する処理を行うとともに、第２合成箔画像を所定の角度回転させる処理を行い、第１合成箔画像で構成される第１の合成箔用印刷データ、及び回転後の第２合成箔画像で構成される第２の合成箔用印刷データを生成する。
【発明の効果】
【００１４】
本発明の少なくとも一態様によれば、複数の箔ロールを搭載した箔押し機において、入稿データの画像全体に２種類以上の箔オブジェクトが点在する場合でも、複数の箔ロールを交換することなく箔押し印刷が実現可能となる。
上記した以外の課題、構成及び効果は、以下の実施形態の説明により明らかにされる。
【図面の簡単な説明】
【００１５】
【図１】従来の箔押し機を備えた印刷システムの全体構成を示す概略図である。
【図２】従来の箔押し印刷（箔オブジェクトが境界を跨がない場合）の説明図である。
【図３】従来の箔押し印刷（箔オブジェクトが境界を跨ぐ場合）の説明図である。
【図４】異なる複数の箔オブジェクトが点在した入稿データを示す説明図である。
【図５】本発明の第１の実施形態に係る、箔押し機を備えた印刷システムの全体構成を示す概略図である。
【図６】本発明の第１の実施形態に係る印刷システムが備える各装置のハードウェア構成を示すブロック図である。
【図７】本発明の第１の実施形態に係るコントローラの入稿データ処理部の機能構成を示すブロック図である。
【図８】本発明の第１の実施形態に係る入稿データ処理手法の手順（１）を示すフローチャートである。
【図９】本発明の第１の実施形態に係る入稿データ処理手法の手順（２）を示すフローチャートである。
【図１０】本発明の第１の実施形態に係る入稿データ処理手法の手順（３）を示すフローチャートである。
【図１１】入稿データから生成された箔画像なし印刷データ、第１の色の箔用印刷データ、及び第２の色の箔用印刷データを示す説明図である。
【図１２】本発明の第１の実施形態に係る、箔オブジェクトの境界跨ぎの有無を判定する手法の説明図である。
【図１３】本発明の第１の実施形態に係る、第１の箔用印刷データ及び第２の箔用印刷データを作成する手法を示す説明図である。
【図１４】本発明の第１の実施形態に係る、箔なし印刷データの断裁領域に付属情報を付与する処理を示す説明図である。
【図１５】本発明の第１の実施形態に係る箔押し処理を示す説明図である。
【図１６】本発明の第１の実施形態に係る画像調整処理（画像シフト）を示す説明図である。
【図１７】本発明の第１の実施形態に係る画像調整処理（画像回転）を示す説明図である。
【図１８】本発明の第２の実施形態に係る、境界が用紙の中心ではない場合における箔オブジェクトの境界跨ぎの有無を判定する手法の説明図である。
【図１９】ページ割付設定が多面付けである入稿データの画像例を示す説明図である。
【図２０】本発明の第３の実施形態に係る画像の面付け配置を変更した場合を示す説明図である。
【図２１】本発明の第３の実施形態に係る、画像を境界と垂直な方向へ移動させた場合を示す説明図である。
【図２２】本発明の第３の実施形態に係る、画像を回転させた場合を示す説明図である。
【図２３】本発明の第３の実施形態に係る入稿データ処理手法の手順（１）を示すフローチャートである。
【図２４】本発明の第３の実施形態に係る入稿データ処理手法の手順（２）を示すフローチャートである。
【図２５】本発明の第３の実施形態に係る入稿データ処理手法の手順（３）を示すフローチャートである。
【図２６】本発明の第３の実施形態に係る、多面付け入稿データから第１の箔用印刷データ及び第２の箔用印刷データを作成する手法を示す説明図である。
【図２７】本発明の第４の実施形態に係る、３本の箔ロールを備えた箔押し機による箔押し処理の例を示す説明図である。
【図２８】本発明の第４の実施形態に係る入稿データ処理手法の手順（１）を示すフローチャートである。
【図２９】本発明の第４の実施形態に係る入稿データ処理手法の手順（２）を示すフローチャートである。
【図３０】本発明の第４の実施形態に係る、第４の実施形態に係る、箔オブジェクトの境界跨ぎの有無を判定する方法（１）を示す説明図である。
【図３１】本発明の第４の実施形態に係る、第４の実施形態に係る、箔オブジェクトの境界跨ぎの有無を判定する方法（２）を示す説明図である。
【図３２】本発明の第５の実施形態に係る入稿データの箔画像例を示す説明図である。
【図３３】本発明の第５の実施形態に係る箔用印刷データを構成する箔画像の回転角度の例を示す説明図である。
【発明を実施するための形態】
【００１６】
以下、本発明を実施するための形態の例について、添付図面を参照しながら説明する。説明は下記の順序で行う。なお、各図において実質的に同一の機能又は構成を有する構成要素については、同一の符号を付して重複する説明を省略する。
１．第１の実施形態（異なる色の箔画像の分割箔画像を入れ替える例）
２．第２の実施形態（境界が箔用紙の中心にない場合の例）
３．第３の実施形態（多箔面付け、配置変更、シフト、中央回転）
４．第４の実施形態（箔押し機が３本の箔ロールを備える例）
５．第５の実施形態（一方の箔用印刷データの箔画像の回転角度）
６．その他
【００１７】
＜１．第１の実施形態＞
［印刷システムの全体構成］
図５は、第１の実施形態に係る、箔押し機を備えた印刷システムの全体構成を示す概略図である。
【００１８】
図５に示す印刷システム４０は、コントローラ５０、印刷装置６０、及び箔押し機７０を備える。コントローラ５０（情報処理装置の一例）、印刷装置６０、及び箔押し機７０は、互いにネットワークＮ（図６）を介して接続されている。印刷装置６０は、図１の印刷装置３と同等の機能を有する。また箔押し機７０は、図２及び図３に示されるように、金箔ロール１０ｇと銀箔ロール１０ｓが通紙方向に対し垂直な方向に隣接して配置されている。
【００１９】
コントローラ５０には、クライアント端末１から印刷ジョブに含まれた、金箔画像及び銀箔画像を含む印刷データ（入稿データ５）が入稿される。コントローラ５０により、入稿データ５から金色及び銀色の箔オブジェクトを含む箔画像（箔押し画像）を除いた箔なし印刷データ４１、金箔オブジェクトと銀箔オブジェクトを含む第１の合成箔用印刷データ４２ａ、並びに金箔オブジェクトと銀箔オブジェクトを含む第２の合成箔用印刷データ４２ｂが生成される。第１の合成箔用印刷データ４２ａ及び第２の合成箔用印刷データ４２ｂについては、後に図１３を参照して詳述する。本実施形態において入力される印刷データ（入稿データ）は、箔画像を含まない又は箔画像を含む画像データである。
【００２０】
箔なし印刷データ４１は印刷装置６０に入力され、印刷装置６０により箔なし印刷データ６に基づく印刷処理が行われる。ユーザーはその印刷物４３を箔押し機７０にセットする。箔押し機７０は、第１の合成箔用印刷データ４２ａに基づいて、印刷物４３に１回目の追い刷り（箔押し）を行う。次に、ユーザーは箔押し機７０で１回目の追い刷りを行った印刷物４３を、箔押し機７０に再セットする。そして、箔押し機７０は、第２の合成箔用印刷データ４２ｂに基づいて、印刷物４３に２回目の追い刷り（箔押し）を行う。このような処理により、金箔及び銀箔が押された印刷物４４が作成される。
【００２１】
以下の実施形態では、印刷システム４０の各装置がネットワークＮを介して接続された環境を例に挙げたが、印刷データをＵＳＢ（Universal Serial Bus）メモリ等の記録媒体を用いて印刷装置６０、箔押し機７０に入力する構成でもよい。
【００２２】
［各装置のハードウェア構成］
図６は、印刷システム４０が備える各装置のハードウェア構成を示すブロック図である。
【００２３】
クライアント端末１には、例えばパーソナルコンピューターが適用される。クライアント端末１は、ユーザーの入力操作に基づいて、文書作成又は画像作成アプリケーションにより印刷を行う画像データを生成する。またクライアント端末１は、印刷設定情報（「ジョブチケット」と呼ばれることもある）及び画像データ（印刷データ）を含む印刷ジョブを生成し、コントローラ５０へ出力する機能を有する。印刷設定情報には、箔押し印刷設定の有無やページ割付けなどの情報が含まれる。
【００２４】
（コントローラ）
コントローラ５０は、図６に示すように、ＣＰＵ５１、メモリ５２、補助記憶装置５３、入稿データ処理部５４、ＲＩＰ処理部５５及び通信部Ｉ／Ｆ５６（通信部の一例）を備える。コントローラ５０には、例えばパーソナルコンピューター又はサーバーが用いられる。
【００２５】
コントローラ５０は、バスを介して互いに接続されたＣＰＵ（Central Processing Unit）５１、揮発性記録媒体のメモリ５２、及び不揮発性記録媒体の補助記憶装置５３を備える。またコントローラ５０は、入稿データ処理部５４、ＲＩＰ処理部５５、及び通信Ｉ／Ｆ５６を備える。
【００２６】
ＣＰＵ５１は、コントローラ５０の各部の動作の制御及び演算処理を行う中央処理装置であり、本実施形態に係る各機能を実現するソフトウェアのプログラムコードを補助記憶装置５３から読み出して実行する。なお、コントローラ５０は、ＣＰＵ５１の代わりに、ＭＰＵ（Micro-Processing Unit）等の処理装置を備えるようにしてもよい。
【００２７】
メモリ５２は主記憶装置であり、メモリ５２には演算処理の途中に発生した変数やパラメータ等が一時的に書き込まれる。メモリ５２には、ＲＡＭ（Random Access Memory）等が適用される。
【００２８】
補助記憶装置５３は、メモリ５２の補助的な役割を担う記憶装置であり、通常長時間データを保存することが可能な仕組みを有する。補助記憶装置５３には、ＨＤＤ（Hard Disk Drive）、ＳＳＤ（Solid State Drive）、フレキシブルディスク、光ディスク、光磁気ディスク、ＣＤ−ＲＯＭ、ＣＤ−Ｒ、磁気テープ、不揮発性のメモリカード等が用いられる。この補助記憶装置５３には、ＯＳ（Operating System）及び各種のパラメータの他に、コントローラ５０を機能させるためのプログラムが記録されている。例えば補助記憶装置５３に、図８〜図１０に示すプログラム（ソフトウェア）が格納されていてもよい。
【００２９】
入稿データ処理部５４は、コントローラ５０に入稿された印刷データ（入稿データ）を処理する。入稿データ処理部５４は、入稿データから箔なし印刷データ、各色の箔用印刷データ等を生成する。入稿データ処理部５４で処理された印刷データは、ＲＩＰ処理に供給される。入稿データ処理部５４については、後に詳述する。
【００３０】
ＲＩＰ処理部５５は、印刷設定を印刷データに反映し、印刷装置６０で識別できる言語（PDL:Page Description Language）に変換して出力する。印刷装置６０で識別できる言語としては、ＰＣＬやＰｏｓｔＳｃｒｉｐｔなどがある。ＲＩＰ処理部５５は、ページ割付設定が含まれていた場合、ページ割付設定に記載された割付け数及び配置に基づいて、印刷データを割り付ける。
【００３１】
通信Ｉ／Ｆ５６は、例えばＮＩＣ（Network Interface Card）等が用いられ、ＬＡＮ等のネットワークＮを介して各装置間で各種のデータを送受信することが可能な構成とされている。
【００３２】
（印刷装置）
印刷装置６０は、クライアント端末１から出力された印刷ジョブをネットワークＮを介して受信し、印刷ジョブの印刷設定及び印刷データに基づいて用紙に画像を形成して出力（以下「印刷処理」）する。印刷装置６０は、複数種類の機能（印刷機能、複写機能、スキャン機能等）を備えた複合機（ＭＦＰ：Multi Function Peripheral）でもよい。
【００３３】
印刷装置６０は、図６に示すように、ＣＰＵ６１、メモリ６２、補助記憶装置６３、操作表示部６４、画像形成部６５、及び通信部Ｉ／Ｆ６６を備える。
【００３４】
ＣＰＵ６１は、印刷装置６０の各部の動作の制御及び演算処理を行う中央処理装置であり、本実施形態に係る各機能を実現するソフトウェアのプログラムコードを補助記憶装置６３から読み出して実行する。なお、印刷装置６０は、ＣＰＵ６１の代わりに、ＭＰＵ等の処理装置を備えるようにしてもよい。
【００３５】
メモリ６２は主記憶装置であり、メモリ６２には演算処理の途中に発生した変数やパラメータ等が一時的に書き込まれる。メモリ６２には、ＲＡＭ等が適用される。
【００３６】
補助記憶装置６３は、メモリ６２の補助的な役割を担う記憶装置であり、通常長時間データを保存することが可能な仕組みを有する。この補助記憶装置６３には、ＯＳ及び各種のパラメータの他に、印刷装置６０を機能させるためのプログラムが記録されている。
【００３７】
操作表示部６４は、表示部であるフラットパネルディスプレイに、操作部であるタッチパネルが積層して構成される。操作表示部６４は、ユーザーから入力される操作の内容に応じた操作信号を生成して、生成した操作信号をＣＰＵ６１に供給する。また操作表示部６４は、ＣＰＵ６１の処理結果を表示する。
【００３８】
画像形成部６５は、コントローラ５０から送信された印刷データ（箔なし印刷データ）に基づいて、画像を用紙上に形成する。画像形成部６５は、プリンタエンジンとして構成される。
【００３９】
通信Ｉ／Ｆ６６は、例えばＮＩＣ等が用いられ、ネットワークＮを介して各装置間で各種のデータを送受信することが可能な構成とされている。
【００４０】
（箔押し機）
箔押し機７０は、コントローラ５０から送信された各色の箔用印刷データを読み取り、箔用印刷データを構成する箔画像の各画素に対応する用紙の位置にニスを塗布し、ニスの上に箔を接着（箔押し）する。
【００４１】
箔押し機７０は、図６に示すように、ＣＰＵ７１、メモリ７２、補助記憶装置７３、操作表示部７４、用紙搬送部７５、第１箔押し処理部７６、第２箔押し処理部７７、及び通信部Ｉ／Ｆ７８を備える。
【００４２】
ＣＰＵ７１は、箔押し機７０の各部の動作の制御及び演算処理を行う中央処理装置であり、本実施形態に係る各機能を実現するソフトウェアのプログラムコードを補助記憶装置７３から読み出して実行する。なお、箔押し機７０は、ＣＰＵ７１の代わりに、ＭＰＵ等の処理装置を備えるようにしてもよい。
【００４３】
メモリ７２は主記憶装置であり、メモリ７２には演算処理の途中に発生した変数やパラメータ等が一時的に書き込まれる。メモリ７２には、ＲＡＭ等が適用される。
【００４４】
補助記憶装置７３は、メモリ７２の補助的な役割を担う記憶装置であり、通常長時間データを保存することが可能な仕組みを有する。この補助記憶装置７３には、ＯＳ及び各種のパラメータの他に、箔押し機７０を機能させるためのプログラムが記録されている。
【００４５】
操作表示部７４は、表示部であるフラットパネルディスプレイに、操作部であるタッチパネルが積層して構成される。操作表示部７４は、ユーザーから入力される操作の内容に応じた操作信号を生成して、生成した操作信号をＣＰＵ７１に供給する。また操作表示部７４は、ＣＰＵ７１の処理結果を表示する。
【００４６】
用紙搬送部７５は、ユーザーにより箔押し機７０の手差し用トレイ又は給紙トレイ（いずれも図示略）にセットされた用紙を搬送する。
【００４７】
第１箔押し処理部７６は、金箔画像（第１箔画像の一例）及び銀箔画像（第２箔画像の一例）で構成される第１の箔用印刷データに基づいて、用紙にニスを塗布し、金箔ロール１０ｇを駆動させるとともに箔押しを行い、ニスの上に金箔を接着する。
【００４８】
第２箔押し処理部７７は、金箔画像（第１箔画像の一例）及び銀箔画像（第２箔画像の一例）で構成される第２の箔用印刷データに基づいて、用紙にニスを塗布し、銀箔ロール１０ｓ駆動させるとともに箔押しを行い、ニスの上に銀箔を接着する。
【００４９】
通信部Ｉ／Ｆ７８は、例えばＮＩＣ等が用いられ、ネットワークＮを介して各装置間で各種のデータを送受信することが可能な構成とされている。
【００５０】
［コントローラの制御系］
次に、コントローラ５０の入稿データ処理部５４の機能構成を説明する。図７は、コントローラ５０の入稿データ処理部の機能構成を示すブロック図である。
【００５１】
入稿データ処理部５４は、入力処理部５４０、入稿データ保持部５４１、解析処理部５４２、箔なし印刷データ生成部５４３、箔用印刷データ生成部５４４、跨ぎ判定部５４５、合成箔用印刷データ生成部５４６、画像調整部５４７、付属情報画像合成部５４８、及び出力処理部５４９を備える。
【００５２】
入力処理部５４０は、印刷設定情報と印刷データとを含む印刷ジョブの入力を受け付け、入稿データ保持部５４１へ供給する。
【００５３】
入稿データ保持部５４１は、入力処理部５４０が受け付けた印刷ジョブを一時的に保持する。
【００５４】
解析処理部５４２は、入稿データ保持部５４１に保持された印刷ジョブを読み出し、印刷ジョブに含まれる印刷設定情報を解析する。解析処理部５４２は、印刷設定情報に箔押し印刷設定が含まれる場合には、入稿された印刷データに箔画像が含まれると判断する。あるいは、印刷データの各画素を走査し、その結果を元に判断する。解析処理部５４２は、入稿された印刷データに箔画像がない場合には、印刷データをそのまま出力処理部へ供給する。
【００５５】
箔なし印刷データ生成部５４３は、入稿された印刷データから金箔画像及び銀箔画像を除いた箔なし印刷データを生成し、生成した箔なし印刷データを付属情報画像合成部５４８へ出力する。
【００５６】
箔用印刷データ生成部５４４は、入稿された印刷データから金箔画像で構成される第１の箔用印刷データ２５Ｇ（図１１参照）、及び、銀箔画像で構成される第２の箔用印刷データ２５Ｓ（図１１参照）を抽出する。そして、箔用印刷データ生成部５４４は、抽出した第１の箔用印刷データ２５Ｇ及び第２の合成箔用印刷データ４２ｂを、箔押し機７０が読み取り可能なデータ形式、例えばＴＩＦＦ（Tagged Image File Format）形式のデータに変換する。ＴＩＦＦ形式の箔用印刷データには、箔用印刷データを構成する各画素の座標の情報と、各画素の画素値の情報が含まれる。
【００５７】
なお、箔なし印刷データ生成部５４３及び箔用印刷データ生成部５４４の処理を、解析処理部５４２が行う構成としてもよい。
【００５８】
跨ぎ判定部５４５は、箔用印刷データ生成部５４４で生成された第１の箔用印刷データ２５Ｇ、及び、第２の箔用印刷データ２５Ｓから箔オブジェクトを抽出する。そして、跨ぎ判定部５４５は、金箔ロール１０ｇによる箔押し処理が行われる領域である金箔領域１１ｇ（第１領域）と銀箔ロール１０ｓによる箔押し処理が行われる領域である銀箔領域１１ｓ（第２領域）との境界を跨ぐ箔オブジェクトがあるか否かを判定する。そして、跨ぎ判定部５４５は、境界を跨ぐ箔オブジェクトが存在しない場合（ＯＫ）には、その旨を合成箔用印刷データ生成部５４６に通知し、境界を跨ぐ箔オブジェクトが存在する場合（ＮＧ）には、その旨を画像調整部５４７に通知する。
【００５９】
合成箔用印刷データ生成部５４６は、跨ぎ判定部５４５が境界を跨ぐ箔オブジェクトはないと判定した場合に、合成箔用印刷データを生成する処理を行う。合成箔用印刷データ生成部５４６は、分割／入替え部５４６ａと、画像回転部５４６ｂを備える。
【００６０】
分割／入替え部５４６ａは、第１の箔用印刷データ２５Ｇの金箔画像及び第２の箔用印刷データ２５Ｓの銀箔画像のそれぞれを境界で分割する。次いで、分割／入替え部５４６ａは、金箔画像及び銀箔画像との間で境界を挟む一方の分割箔画像と他方の分割箔画像を入れ替えて第１合成箔画像及び第２合成箔画像を生成する。画像回転部５４６ｂは、分割／入替え部５４６ａで生成された第２合成箔画像を所定の角度だけ回転させる。
【００６１】
このようにして合成箔用印刷データ生成部５４６は、第１合成箔画像で構成される第１の合成箔用印刷データ４２ａ、及び回転後の第２合成箔画像で構成される第２の合成箔用印刷データ４２ｂを生成する。合成箔用印刷データ生成部５４６は、生成した第１の合成箔用印刷データ４２ａと第２の合成箔用印刷データ４２ｂを、出力処理部５４９へ供給する。
【００６２】
画像調整部５４７は、跨ぎ判定部５４５が境界を跨ぐ箔オブジェクトがあると判定した場合に、境界を跨ぐ箔オブジェクトが境界を跨がなくなるよう第１の箔用印刷データ２５Ｇ（金箔画像）及び第２の箔用印刷データ２５Ｓ（銀箔画像）の位置を変更する画像処理を行う。画像調整部５４７は、画像シフト部５４７ａと、画像回転部５４７ｂを備える。
【００６３】
画像シフト部５４７ａは、金箔画像及び銀箔画像（を含む画像全体）を境界に垂直な方向へ移動させる画像処理を行う。なお、画像シフト部５４７ａは、箔画像を抽出する前の入稿データの画像を移動する画像処理を行ってもよい。
【００６４】
画像回転部５４７ｂは、金箔画像及び銀箔画像（を含む画像全体）を回転させる画像処理を行う。画像シフト部５４７ａと画像回転部５４７ｂにより、金箔画像及び銀箔画像を境界に垂直な方向へ移動させた後、続けて金箔画像及び銀箔画像を回転させる画像処理を行ってもよい。なお、画像回転部５４７ｂは、箔画像を抽出する前の入稿データの画像を移動する画像処理を行ってもよい。
【００６５】
本実施形態では、画像調整部５４７は、箔用印刷データ生成部５４４で各色の箔用印刷データを生成する前の、入稿データ保持部５４１の印刷データの画像の位置を変更した後、入稿データ保持部５４１に位置変更後の画像を戻すが、この例に限定されない。箔用印刷データ生成部５４４から出力された各色の箔用印刷データの箔画像の位置を個別に変更する構成としてもよい。
【００６６】
ここで、画像調整部５４７で画像調整を行っても境界を跨ぐ箔オブジェクトがなくならない場合には、箔用印刷データ生成部５４４は、合成箔用印刷データの第１の箔用印刷データ２５Ｇ、及び、第２の箔用印刷データ２５Ｓを出力処理部５４９へ供給する。また、跨ぎ判定部５４５は、画像調整後も境界跨ぎが解消されないこと（ＮＧ）を、付属情報画像合成部５４８、及び箔用印刷データ生成部５４４に通知する。
【００６７】
付属情報画像合成部５４８は、箔なし印刷データにおける用紙の給紙方向の先頭側の断裁領域２６ｔ又は２６ｕに対応する領域に、付属情報として箔押し機７０による箔押し処理時の位置決め用画像（アイマーク画像Ｍ）（後述する図１４参照）を付与する。断裁領域２６ｔ，２６ｕは、用紙の給紙方向の端部から所定の距離の幅を持つ領域であって、用紙に画像を形成した後に断裁される。この際に、第１の合成箔用印刷データ４２ａ及び第２の合成箔用印刷データ４２ｂによる各箔押し処理時の給紙方向に対応する位置（即ち断裁領域）に位置決め用画像を付与する。
【００６８】
また付属情報画像合成部５４８は、箔なし印刷データにおける、用紙の給紙方向の先頭側の断裁領域に対応する領域に、第１の合成箔用印刷データ４２ａ及び第２の合成箔用印刷データ４２ｂの各箔押し処理の順番に対応するように用紙の給紙方向及び給紙順番を表す情報を付与する。
【００６９】
出力処理部５４９は、解析処理部５４２から供給された印刷データ、付属情報画像合成部５４８で付属情報画像が合成された箔なし印刷データ、合成箔用印刷データ生成部５４６で生成された合成箔用印刷データ、又は箔用印刷データ生成部５４４で生成された箔用印刷データを出力する。出力処理部５４９は、これらのデータをＲＩＰ処理部５５に供給する。
【００７０】
［入稿データ処理手法の手順］
次に、第１の実施形態に係る入稿データ処理手法を説明する。
図８は、入稿データ処理手法の手順（１）を示すフローチャートであり、図９は、入稿データ処理手法の手順（２）を示すフローチャートであり、また図８は、入稿データ処理手法の手順（３）を示すフローチャートである。図８〜図１０のフローチャートについて、図１１〜図１７を参照して説明する。説明の前提として、入稿データを、金色と銀色の箔画像が含まれる図４の入稿データ２０とし、また境界が用紙の通紙方向に垂直な幅方向を二分する中心線と一致するものとする。
【００７１】
まずクライアント端末１から通信Ｉ／Ｆ５６を介してコントローラ５０に印刷ジョブが入力されると、入力処理部５４０は、印刷ジョブを入稿データ保持部５４１に一時的に保持する。なお、印刷ジョブに入稿された印刷データを例に挙げているが、印刷データは印刷ジョブに含まれたものでなくてもよい。
【００７２】
次に、解析処理部５４２は、印刷ジョブに含まれる印刷データに箔画像が存在するか否かを判定する（Ｓ１）。印刷データに箔画像が存在するかどうかを確認する方法として、印刷設定情報を参照したり、印刷データを画素ごとに走査したりする方法がある。
【００７３】
ステップＳ１において印刷ジョブに含まれる印刷データに箔画像が存在しない場合には（Ｓ１のＮＯ）、解析処理部５４２は、印刷装置６０に印刷データをそのまま出力する（Ｓ２１）。ステップＳ２１の処理が完了したら、入稿データ処理を終了する。
【００７４】
次に、ステップＳ１において解析処理部５４２が入稿された印刷データに箔画像が存在すると判定した場合には（Ｓ１のＹＥＳ）、箔なし印刷データ生成部５４３は、解析処理部５４２から判定結果と印刷データを受けて、入稿された印刷データから箔なし印刷データを生成する（Ｓ２）。
【００７５】
次に、箔用印刷データ生成部５４４は、入稿された印刷データから金箔画像で構成される第１の箔用印刷データと銀箔画像で構成される第２の箔用印刷データを生成する（Ｓ３）。
【００７６】
図１１に、入稿データ２０から生成された箔なし印刷データ、第１の箔用印刷データ、及び第２の箔用印刷データの例を示す。ステップＳ２の処理により、金箔及び銀箔のオブジェクトを除いた箔なし印刷データ２５Ｎが生成される。また、ステップＳ３の処理により、金箔オブジェクト２１ｇ１〜２１ｇ２，２３ｇ１のみを含む第１の箔用印刷データ２５Ｇが生成される。銀箔オブジェクト２１ｓ１〜２１ｓ２、２２ｓ１〜２２ｓ２、２３ｓ１のみを含む第２の箔用印刷データ２５Ｓが生成される。
【００７７】
図８の説明に戻る。ステップＳ３の処理後、箔用印刷データ生成部５４４は、全種類の箔画像の箔用印刷データの生成が完了したか否かを判定する（Ｓ４）。生成すべき箔画像の箔用印刷データがある場合には（Ｓ４のＮＯ）、ステップＳ３に戻って該当する箔画像の箔用印刷データを生成する。
【００７８】
ステップＳ４において箔用印刷データ生成部５４４が、全種類の箔画像（本例では金箔画像と銀箔画像）の箔用印刷データの生成を完了したと判定した場合には（Ｓ４のＹＥＳ）、跨ぎ判定部５４５は、各箔用印刷データから箔オブジェクトの位置を抽出する（Ｓ５）。
【００７９】
次に、跨ぎ判定部５４５は、図１２に示すように、抽出した箔オブジェクトの中に用紙中央（境界Ｃ）を跨ぐ箔オブジェクトがあるか否かを判定する（Ｓ６）。
【００８０】
図１２は、第１の実施形態に係る、箔オブジェクトの境界跨ぎの有無を判定する手法の説明図である。
第１の箔用印刷データ２５Ｇにおいて、金箔オブジェクト２１ｇ１〜２１ｇ２，２３ｇ１のいずれも境界Ｃを跨いでいない。同様に、第２の箔用印刷データ２５Ｓにおいて、銀箔オブジェクト２１ｓ１〜２１ｓ２、２２ｓ１〜２２ｓ２、２３ｓ１のいずれも境界Ｃを跨いでいない。
【００８１】
（境界を跨ぐ箔オブジェクトがある場合）
図８の説明に戻る。次に、箔用印刷データの箔画像に用紙中央（境界Ｃ）を跨ぐ箔オブジェクトはない場合には（Ｓ６のＮＯ）、跨ぎ判定部５４５は、ステップＳ７の処理に進む。一方、用紙中央を跨ぐ箔オブジェクトがある場合には、用紙中央を跨がないよう後述する画像シフト又は／及び画像回転を行う。この画像シフト又は／及び画像回転については後述する。
【００８２】
次に、合成箔用印刷データ生成部５４６の分割／入替え部５４６ａは、第１の箔用印刷データ２５Ｇの金箔画像、及び第２の箔用印刷データ２５Ｓの銀箔画像のそれぞれを用紙中央（境界Ｃ）で分割する（Ｓ７）。
【００８３】
次いで、分割／入替え部５４６ａは、金箔画像（第１の箔用印刷データ２５Ｇ）及び銀箔画像（第２の箔用印刷データ２５Ｓ）との間で境界Ｃを挟む一方の分割箔画像と他方の分割箔画像が入れ子になるように合成し、２種類の合成箔画像（合成箔用印刷データ）を生成する（Ｓ８）。
【００８４】
次に、合成箔用印刷データ生成部５４６の画像回転部５４６ｂは、分割／入替え部５４６ａで入れ子合成した合成箔画像の一方を所定の角度（本例では１８０度）回転させる（Ｓ９）。
【００８５】
図１３は、第１の実施形態に係る、第１の箔用印刷データ２５Ｇ及び第２の箔用印刷データ２５Ｓを作成する手法を示す説明図である。
金箔画像の左側の分割箔画像２５ｇＬと、銀箔画像の右側の分割箔画像２５ｓＲとを組み合わせて合成し、第１合成箔画像（第１の合成箔用印刷データ４２ａ）を生成する。同様に、金箔画像の右側の分割箔画像２５ｇＲと、銀箔画像の左側の分割箔画像２５ｓＬとを組み合わせて合成し、第２合成箔画像（第２の合成箔用印刷データ４２ｂ）を生成する。続いて、画像回転部５４６ｂは、第２合成箔画像（第２の合成箔用印刷データ４２ｂ）を１８０度回転させる。金箔画像が左側、銀箔画像が右側に面付けされるよう、一方の第２合成箔画像を１８０度回転させて合成処理する。これで、金箔オジェクトと銀箔オブジェクトを含む合成箔用印刷データの生成が完了する。
【００８６】
図８の説明に戻る。次に、付属情報画像合成部５４８は、箔なし印刷データにおける、用紙の給紙方向の先頭側の断裁領域２６ｔ又は２６ｕに対応する領域に、付属情報として箔押し機７０による箔押し処理時の位置決め用画像（アイマーク画像Ｍ）（後述する図１４参照）を付与する（Ｓ１０）。アイマーク画像Ｍは、二次元バーコードに限らず、十字など任意の画像でよい。
【００８７】
続いて、付属情報画像合成部５４８は、箔なし印刷データにおける、用紙の給紙方向の先頭側の断裁領域２６ｔ又は２６ｕに対応する領域に、第１の合成箔用印刷データ４２ａ及び第２の合成箔用印刷データ４２ｂの各箔押し処理の順番に対応するように用紙の給紙方向及び給紙順番を表す情報を付与する（Ｓ１１）。
【００８８】
図１４は、第１の実施形態に係る、箔なし印刷データ２５Ｎの断裁領域に付属情報を付与する処理を示す説明図である。
アイマーク画像Ｍは、箔画像と箔押し位置がずれないよう、用紙の断裁領域２６ｔ，２６ｕ等の余白に印刷する位置決め用のマーク（図形や記号、２次元バーコード等）であり、給紙方向の先頭に印刷される。本実施形態では、１度箔押しした後に、箔ロールを交換することなく用紙を１８０回転させて再度箔押しするため、断裁領域２６ｕに１８０度回転したアイマーク画像Ｍと、給紙方向／給紙順番を示す情報Ｄ２‘金銀箔データ２の給紙方向’を箔なし印刷データ２５Ｎの画像に付与する。
【００８９】
そして、出力処理部５４９は、アイマーク画像Ｍと給紙方向／給紙順番を示す情報を画像合成した、合成後の箔なし印刷データ２６が出力処理部５４９から出力される。コントローラ５０は、合成後の箔なし印刷データ２６（図１４）を印刷装置６０へ送信する。以下、印刷装置６０の印刷処理及び箔押し機７０の箔押し印刷について説明する。
【００９０】
図８の説明に戻る。図８のステップＳ１１の処理が終了後、コントローラ５０のＣＰＵ５１は、印刷装置６０で印刷処理した後に箔押し機７０で箔押し処理を行う設定であるか否かを判定する（図９のＳ１２）。
【００９１】
ステップＳ１２において印刷装置６０で印刷処理後に箔押し機７０で箔押し処理を行う設定であった場合には（Ｓ１２のＹＥＳ）、ＣＰＵ５１は、合成後の箔なし印刷データ２６を印刷装置６０へ送信する（Ｓ１３）。
【００９２】
次に、ＣＰＵ５１は、合成後の箔用印刷データの一つ（例えば第１の合成箔用印刷データ４２ａ）を、箔押し機７０に送信する（Ｓ１４）。このとき、ＣＰＵ５１は、操作表示部７４の画面に、送信した第１の合成箔用印刷データ４２ａの箔画像と給紙方向を表示し、ユーザーに通知する（Ｓ１５）。
【００９３】
次に、ＣＰＵ５１は、全ての箔画像（合成箔用印刷データ）の箔押しが完了したか否かを判定し（Ｓ１６）、箔押しが完了していない箔画像がある場合には（Ｓ１６のＮＯ）、ステップＳ１４に戻って次の合成箔用印刷データ（例えば第２の合成箔用印刷データ４２ｂ）を箔押し機７０に送信する。
【００９４】
ステップＳ１６において全ての箔画像（第１及び第２の合成箔用印刷データ）の箔押しが完了したと判定した場合には（Ｓ１６のＹＥＳ）、ＣＰＵ５１は、本入稿データ処理を終了する。
【００９５】
一方、ステップＳ１２において箔押し機７０による箔押し処理を先に行う場合には（Ｓ１２のＮＯ）、ＣＰＵ５１は、第１の合成箔用印刷データ４２ａを箔押し機７０へ送信する（Ｓ１７）。次いで、ＣＰＵ５１は、ステップＳ１８，Ｓ１９の処理を行う。ステップＳ１８，Ｓ１９の処理は、ステップＳ１５，Ｓ１６と同じである。
【００９６】
次に、ステップＳ１９において全ての箔画像（第１及び第２の合成箔用印刷データ）の箔押しが完了したと判定した場合には（Ｓ１９のＹＥＳ）、ＣＰＵ５１は、合成後の箔なし印刷データ２６を印刷装置６０へ送信する（Ｓ２０）。このステップＳ２０の処理が終了したら、ＣＰＵ５１は、本入稿データ処理を終了する。
【００９７】
図１５は、第１の実施形態に係る箔押し処理を示す説明図である。
まず、金箔画像及び銀箔画像を合成した第１の合成箔用印刷データ４２ａ（図１５では「金銀箔データ１」）を箔押し機７０に送信し、ユーザーに第１の合成箔用印刷データ４２ａの箔押し印刷（１回目の箔押し）を通知する。通知方法は、箔押し機７０の操作表示部７４に表示したり、コントローラ５０に表示装置を接続してその表示装置に表示したりすることが考えられる。
【００９８】
次に、第１の合成箔用印刷データ４２ａ（金銀箔データ１）の箔押しが完了したら、第２の合成箔用印刷データ４２ｂ（金銀箔データ２）を箔押し機７０に送信し、ユーザーに用紙を１８０度回転してセットするよう通知する（２回目の箔押し）。これにより、１回目の箔押し及び２回目の箔押し共に、箔押しの順番及び給紙方向を間違えることなく、
全ての金箔画像及び銀箔画像が形成された箔付き印刷物４４が得られる。
【００９９】
なお、上述した第１の合成箔用印刷データ４２ａ又は第２の合成箔用印刷データ４２ｂの箔押し印刷（用紙の１８０度回転）を通知することは、必須ではない。ただし、ユーザーに通知を行う方が、箔押し機７０での箔押しの回数や用紙の向きなどの間違えが大幅に減ることが期待できる。
【０１００】
上述した入稿データ処理により、複数の箔ロールを搭載した箔押し機において、入稿データの画像全体に２種類以上の箔オブジェクトが点在する場合でも、箔ロールを交換することなく２種類以上の箔押し印刷が可能となる。
【０１０１】
（境界を跨ぐ箔オブジェクトがある場合）
次に、図８の説明に戻り、箔用印刷データを構成する用紙中央（境界Ｃ）を跨ぐ箔オブジェクトがある場合の処理について説明する。
【０１０２】
ステップＳ６において、箔用印刷データの箔画像に用紙中央（境界Ｃ）を跨ぐ箔オブジェクトがある場合には（Ｓ６のＹＥＳ）、跨ぎ判定部５４５は、図１０のステップＳ２２の処理に進む。
【０１０３】
次に、跨ぎ判定部５４５は、画像調整部５４７により金箔画像及び銀箔画像（を含む画像全体）を用紙中央（境界Ｃ）に垂直な方向へ移動させる画像処理を行うことで、箔オブジェクトが用紙中央（境界Ｃ）を跨がなくなるかを精査する（Ｓ２２）。
【０１０４】
図１６は、第１の実施形態に係る画像調整処理（画像シフト）を示す説明図である。
図１６の左側の画像２７では、銀箔オブジェクト２１ｓ３が境界Ｃにかかっており、画像２７の中心線Ｃｉと境界Ｃは一致している。右側の移動後の画像２８では、銀箔オブジェクト２１ｓ３が境界Ｃの跨ぎを回避し、画像２８の中心線Ｃｉと境界Ｃはずれている。用紙中央（境界Ｃ）を跨ぐ箔オブジェクトがある場合は、用紙中央を跨ぐ箔オブジェクトがなくなる位置まで画像をシフトする。シフトする方向は境界を挟んで左右を比較し、シフト量が少ないほうにシフトする。
【０１０５】
図８の説明に戻る。跨ぎ判定部５４５は、画像シフトにより箔オブジェクトが用紙中央跨ぎを回避できるか否かを判定する（Ｓ２３）。ここで、箔オブジェクトが用紙中央跨ぎを回避できる場合には（Ｓ２３のＹＥＳ）、ステップＳ７に進み、画像調整後の各箔用印刷データの箔画像のそれぞれについて、分割、入れ子合成等を実行する。一方、箔オブジェクトが用紙中央跨ぎを回避できない場合には（Ｓ２３のＮＯ）、ステップＳ２４に進む。
【０１０６】
次に、跨ぎ判定部５４５は、画像調整部５４７により金箔画像及び銀箔画像（を含む画像全体）を回転させる画像処理を行うことで、箔オブジェクトが用紙中央（境界Ｃ）を跨がなくなるかを精査する（Ｓ２４）。
【０１０７】
図１７は、第１の実施形態に係る画像調整処理（画像回転）を示す説明図である。
図１７の左側の画像２７では、図１６と同様に、銀箔オブジェクト２１ｓ３が境界Ｃにかかっている。このように用紙中央を跨ぐ箔オブジェクトがある場合は、画像２９の中央を跨ぐ箔オブジェクトがない位置まで画像を回転する。本例では、画像の中心点Ｃｒを回転中心として角度θ回転させているが、回転中心は任意でよい。
【０１０８】
ここで、画像を斜めにすると面付けに要する用紙は原稿より大きいサイズが必要となるため、回転する角度は、面付けする用紙のサイズが最小となる角度に回転する。この方法には、上記の画像シフトと画像回転を組み合わせて、最小となる角度に回転する方法も含める。なお、箔ロールの経済性を考慮すると、用紙サイズは通紙方向の長さが短いほどよい。
【０１０９】
図８の説明に戻る。跨ぎ判定部５４５は、画像回転により箔オブジェクトが用紙中央跨ぎを回避できるか否かを判定する（Ｓ２５）。ここで、箔オブジェクトが用紙中央跨ぎを回避できる場合には（Ｓ２５のＹＥＳ）、ステップＳ７に進み、分割、入れ子合成等を実行する。一方、箔オブジェクトが用紙中央跨ぎを回避できない場合には（Ｓ２５のＮＯ）、ＣＰＵ５１はステップＳ２６に進み、従来の印刷方法（Ｓ２６〜Ｓ２９）を実行する。
【０１１０】
従来の印刷方法は、まず付属情報画像合成部５４８が、箔なし印刷データにアイマーク画像を合成する（Ｓ２６）。次いで、ＣＰＵ５１は、合成後の箔なし印刷データを印刷装置６０に送信する（Ｓ２７）。次いで、ＣＰＵ５１は、箔用印刷データの一つ（例えば第１の合成箔用印刷データ４２ａ）を箔押し機７０に送信する（Ｓ２８）。
【０１１１】
そして、ＣＰＵ５１は、全ての箔画像（合成箔用印刷データ）の箔押しが完了したか否かを判定し（Ｓ２９）、箔押しが完了していない箔画像がある場合には（Ｓ２９のＮＯ）、ステップＳ２８に戻って次の合成箔用印刷データ（例えば第２の合成箔用印刷データ４２ｂ）を箔押し機７０に送信する。
【０１１２】
ステップＳ２９において全ての箔画像（第１及び第２の合成箔用印刷データ）の箔押しが完了したと判定した場合には（Ｓ２９のＹＥＳ）、ＣＰＵ５１は、本入稿データ処理を終了する。
【０１１３】
＜２．第２の実施形態＞
次に、第２の実施形態に係る、境界が用紙の中心ではない場合における箔オブジェクトの境界跨ぎの有無を判定する方法を説明する。
【０１１４】
図１８は、第２の実施形態に係る、境界が用紙の中心ではない場合における箔オブジェクトの境界跨ぎの有無を判定する手法の説明図である。
金箔画像で構成される第１の箔用印刷データ２５Ｇを例に説明する。図１８の左図では、回転角度が０度の金箔画像の中心Ｃに対し複数の箔ロールの境界Ｃ１が左側にずれている。図１８の右図では、１８０度反転した金箔画像の各箔オブジェクトは、境界Ｃ１に跨っていない。よって、この第１の箔用印刷データ２５Ｇに含まれる箔オブジェクトは、境界跨ぎはないと判断できる。同様に、銀箔画像で構成される第２の箔用印刷データ２５Ｓについても境界跨ぎを判定する。
【０１１５】
＜３．第３の実施形態＞
次に、第３の実施形態に係るページ割付設定が多面付けである入稿データの処理について説明する。
【０１１６】
図１９は、ページ割付設定が多面付けである入稿データの画像例を示す説明図である。
用紙Ｐに形成された印刷データ８０は、１ページに９個の画像８１が割り付けられている。用紙中央に縦に３個配置された画像８１に含まれる金箔オブジェクト２１ｇ１が境界Ｃに跨っている。このように１ページ内で異種設定の印刷が存在するギャンギングや多面付けで画像中央を跨ぐ箔オブジェクトがある場合は、用紙中央を跨ぐ箔オブジェクトがないように面付け位置、個々の画像の向きを変更する。 
【０１１７】
図２０は、第３の実施形態に係る画像の面付け配置を変更した場合の例である。
用紙Ｐに形成された印刷データ８０Ａは、縦方向に配置された画像８１ｒ（図１９の横向きの画像８１を９０度回転させて縦向きに配置した状態に相当）が１ページに１２個（縦３×横４）割り付けられている。２列目の画像８１ｒと３列目の画像８１ｒの間に境界Ｃが位置し、金箔オブジェクト２１ｇ１の境界跨ぎが回避されている。
【０１１８】
図２１は、第３の実施形態に係る画像を境界と垂直な方向へ移動させた場合の例である。
図２１の印刷データ８０Ｂは、図１９の印刷データ８０に対して、右端の列と中央の列に配置されていた画像８１を右方向にシフトさせたものである。これにより、境界Ｃが金箔オブジェクト２１ｇ１と銀箔オブジェクト２１ｓ１の間に位置し、箔オブジェクトの境界跨ぎが回避されている。
【０１１９】
図２２は、第３の実施形態に係る画像を回転させた場合を示す説明図である。
図２２の印刷データ８０Ｃは、図１９の印刷データ８０に対して、中央の列に配置された画像８１を回転させて画像８１ｒとして面付けしたものである。これにより、中央の画像８１ｒの金箔オブジェクト２１ｇ１と銀箔オブジェクト２１ｓ１が、境界Ｃよりも右側に位置し、箔オブジェクトの境界跨ぎが回避されている。
【０１２０】
［多面付けの入稿データ処理手法の手順］
次に、多面付け入稿データに対する入稿データ処理を説明する。
【０１２１】
図２３は、第３の実施形態に係る入稿データ処理手法の手順（１）を示すフローチャートであり、図２４は、第３の実施形態に係る入稿データ処理手法の手順（２）を示すフローチャートであり、また図２５は、第３の実施形態に係る入稿データ処理手法の手順（３）を示すフローチャートである。図２３〜図２５において、図８〜図１０と異なる部分を中心に説明する。なお、説明の前提として、図８〜図１０の場合と同様に、入稿データを、金色と銀色の箔画像が含まれる入稿データとし、また境界が用紙の通紙方向に垂直な幅方向を二分する中心線と一致するものとする。ただし、本発明はこの前提には限定されない。
【０１２２】
まずコントローラ５０に印刷ジョブが入力されると、入力処理部５４０は、印刷ジョブを入稿データ保持部５４１に一時的に保持する。次に、解析処理部５４２は、印刷データの印刷設定が多面付けかどうかを判定し（Ｓ４１）、多面付けではない場合には（Ｓ４１のＮＯ）、多面付けなしの図８のフローチャートのステップＳ１へ進む処理を行う（Ｓ６３）。印刷データが多面付けであるかどうかを確認する方法として、印刷設定情報を参照したり、印刷データを画素ごとに走査したりする方法がある。
【０１２３】
一方、解析処理部５４２が印刷データの印刷設定が多面付けであると判定した場合には（Ｓ４１のＹＥＳ）、ステップＳ４２〜Ｓ４５の処理が行われ、箔なし印刷データ、第１の箔用印刷データ及び第２の箔用印刷データが生成される。このステップＳ４３〜Ｓ４５の処理は、図８のステップＳ１〜Ｓ４の処理と同じである。
【０１２４】
次に、ステップＳ４５において箔用印刷データ生成部５４４が全種類の箔画像（本例では金箔画像と銀箔画像）の箔用印刷データの生成を完了したと判定した場合には（Ｓ４５のＹＥＳ）、ステップＳ４４で生成した箔用印刷データを印刷設定情報に基づいて多面付けする（Ｓ４６）。
【０１２５】
次に、跨ぎ判定部５４５は、多面付けされた各箔用印刷データから箔オブジェクトの位置を抽出する（Ｓ４７）。
【０１２６】
次に、跨ぎ判定部５４５は、抽出した箔オブジェクトの中に用紙中央（境界Ｃ）を跨ぐ箔オブジェクトがあるか否かを判定する（Ｓ４８）。
【０１２７】
（境界を跨ぐ箔オブジェクトがある場合）
図２３の説明に戻る。次に、多面付けされた箔用印刷データを構成する用紙中央（境界Ｃ）を跨ぐ箔オブジェクトはない場合には（Ｓ４８のＮＯ）、跨ぎ判定部５４５は、ステップＳ４９の処理に進む。一方、用紙中央を跨ぐ箔オブジェクトがある場合には、用紙中央を跨がないよう面付け配置変更、画像シフト、又は画像回転を行う。
【０１２８】
次に、ステップＳ４９〜Ｓ５３における処理を行う。このステップＳ４３〜Ｓ４５の処理は、図８のステップＳ７〜Ｓ１１の処理と同じである。
【０１２９】
次に、ステップＳ５３の処理が終了後、図２４のステップＳ５４〜Ｓ６２の処理を行い、箔なし印刷データの印刷処理及び２種類の箔用印刷データの箔押し処理を行う。このステップＳ５４〜Ｓ６２の処理は、図８のステップＳ１２〜Ｓ２０の処理と同じである。このステップＳ６２の処理が終了したら、ＣＰＵ５１は、本入稿データ処理を終了する。
【０１３０】
上述した入稿データ処理により、複数の箔ロールを搭載した箔押し機において、入稿データの画像全体に多面付けされた箔画像に２種類以上の箔オブジェクトが点在する場合でも、箔ロールを交換することなく２種類以上の箔押し印刷が可能となる。
【０１３１】
（境界を跨ぐ箔オブジェクトがある場合）
次に、図２３の説明に戻り、多面付けされた箔用印刷データを構成する用紙中央（境界Ｃ）を跨ぐ箔オブジェクトがある場合の処理について説明する。
【０１３２】
ステップＳ４８において、箔用印刷データの箔画像に用紙中央（境界Ｃ）を跨ぐ箔オブジェクトがある場合には（Ｓ４８のＹＥＳ）、跨ぎ判定部５４５は、図２５のステップＳ６５の処理に進む。
【０１３３】
次に、跨ぎ判定部５４５は、画像シフト後の箔オブジェクトの用紙中央跨ぎについての精査及び判定処理を行う（Ｓ６５，Ｓ６６）。次に、跨ぎ判定部５４５は、画像回転後の箔オブジェクトの用紙中央跨ぎについての精査及び判定処理を行う（Ｓ６７，Ｓ６８）。このステップＳ６５〜Ｓ６８の処理は、図８のステップＳ２２〜Ｓ２５の処理と同じである。
【０１３４】
次に、跨ぎ判定部５４５は、画像調整部５４７により金箔画像及び銀箔画像（を含む画像全体）の面付けの配置を変更する画像処理を行うことで、箔オブジェクトが用紙中央（境界Ｃ）を跨がなくなるかを精査する（Ｓ６９）。
【０１３５】
次いで、跨ぎ判定部５４５は、面付けの配置変更により箔オブジェクトが用紙中央跨ぎを回避できるか否かを判定する（Ｓ７０）。ここで、箔オブジェクトが用紙中央跨ぎを回避できる場合には（Ｓ７０のＹＥＳ）、ステップ４９に進み、画像調整後の各箔用印刷データの箔画像のそれぞれについて、分割、入れ子合成等を実行する。
【０１３６】
一方、箔オブジェクトが用紙中央跨ぎを回避できない場合には（Ｓ７０のＮＯ）、ステップＳ７１に進み、従来の印刷方法（Ｓ７１〜Ｓ７４）を実行する。このステップＳ７１〜Ｓ７４の処理は、図８のステップＳ２６〜Ｓ２９の処理と同じである。ステップＳ７４において全ての箔画像（第１及び第２の合成箔用印刷データ）の箔押しが完了したと判定した場合には（Ｓ７４のＹＥＳ）、ＣＰＵ５１は、本入稿データ処理を終了する。
【０１３７】
［多面付け箔用印刷データの作成処理］
図２６は、第３の実施形態に係る、多面付け入稿データから第１の合成箔用印刷データ及び第２の合成箔用印刷データを作成する手法を示す説明図である。
【０１３８】
入稿データ２０Ａは、１ページの左右に２ページ分の印刷データ２０−１が割り付けられている。印刷データ２０−１の箔オブジェクトは用紙の中央（境界Ｃ）に跨っていないものとする。
【０１３９】
まず入稿データ２０Ａから金箔用の箔用印刷データ９１ａ（金箔データ：第１の箔用印刷データ）と、銀箔用の箔用印刷データ９１ｂ（銀箔データ：第２の箔用印刷データ）が生成される。金箔用の箔用印刷データ９１ａは、金箔オブジェクトのみを含む２つの金箔画像９０ｇ−１が面付けされ、銀箔用の箔用印刷データ９１ｂは、銀箔オブジェクトのみを含む２つの銀箔画像９０ｓ−１が面付けされている。
【０１４０】
次に、金箔用の箔用印刷データ９１ａの分割箔画像（金箔画像９０ｇ−１）と、銀箔用の箔用印刷データ９１ｂの分割箔画像（銀箔画像９０ｓ−１）のそれぞれの左右を入れ替え（入れ子合成）、第１の合成箔用印刷データ９２ａ（金銀箔データ１）、及び第２の合成箔用印刷データ９２ｂ（金銀箔データ２）を作成する。最後に、第２の合成箔用印刷データ９２ｂを１８０°回転させる。
【０１４１】
図２６から理解されるように、画像が多面付けされた入稿データにおいても、箔オブジェクトの境界跨ぎを回避し、入稿データの画像全体に２種類以上の箔オブジェクトが点在する場合でも、箔ロールを交換することなく箔押し印刷を可能である。
【０１４２】
＜４．第４の実施形態＞
次に、第４の実施形態として、箔押し機が３本の箔ロールを備える場合の例を説明する。
【０１４３】
図２７は、第４の実施形態に係る、３本の箔ロールを備えた箔押し機による箔押し処理の例を示す説明図である。
図２７に示すように、箔押し機は、金箔ロール１０ｇ、銀箔ロール１０ｓ、及び銅箔ロール１０ｃを備える。箔押し対象の印刷データの画像１００は、金箔オブジェクト２１ｇ１，２１ｇ２，２３ｇ１と、銀箔オブジェクト２１ｓ１，２１ｓ２，２２ｓ１〜２２ｓ２，２３ｓ１と、銅箔オブジェクト２１ｃ１，２１ｃ２を有する。
【０１４４】
画像１００の各箔オブジェクトは、上記３本の箔ロールの間の２つの境界Ｂ１，Ｂ２のいずれにも跨っていない。したがって、図２７（１）に示すように、１回目の箔押し処理により、金箔オブジェクト２１ｇ１と、銀箔オブジェクト２１ｓ２，２２ｓ１，２３ｓ１と、銅箔オブジェクト２１ｃ１，２１ｃ２が箔押しされる。その後、図２７（２）に示すように、２回目の箔押し処理により、残りの金箔オブジェクト２１ｇ２，２３ｇ１と、銀箔オブジェクト２１ｓ１，２２ｓ２，２３ｓ１と、銅箔オブジェクト２１ｃ１，２１ｃ２が箔押しされる。
【０１４５】
本実施形態によれば、３本の箔ロールを用いた場合でも、境界を跨ぐ箔オブジェクトがなければ２回の箔押し処理で済む。箔ロールが３本以上になると、箔ロール同士の境界が２以上となるため、全ての境界について箔オブジェクトの境界跨ぎの有無を調べる必要がある。
【０１４６】
［入稿データ処理手法の手順］
次に、箔押し機が３本の箔ロールを備える場合の入稿データ処理を説明する。
【０１４７】
図２８は、第４の実施形態に係る入稿データ処理手法の手順（１）を示すフローチャートであり、図２９は、第４の実施形態に係る入稿データ処理手法の手順（２）を示すフローチャートである。
【０１４８】
まずコントローラ５０に印刷ジョブが入力されると、入力処理部５４０は、印刷ジョブを入稿データ保持部５４１に一時的に保持する。次に、コントローラ５０は、ステップＳ８１〜Ｓ８５，Ｓ８８の処理を行う。このステップＳ８１〜Ｓ８５，Ｓ８８の処理は、図８のステップＳ１〜Ｓ５，Ｓ２１の処理と同じである。
【０１４９】
次に、ステップＳ５の処理後、跨ぎ判定部５４５は、抽出した箔オブジェクトの中に境界Ｂ１を跨ぐ箔オブジェクトがあるか否かを判定する（Ｓ８６）。
【０１５０】
図３０は、第４の実施形態に係る、箔オブジェクトの境界跨ぎの有無を判定する方法（１）を示す説明図である。
入稿データの箔画像１１０は、図２７の画像１００の箔画像成分を簡略化したものである。まず、跨ぎ判定部５４５は、境界Ｂ１について箔オブジェクトの跨ぎを確認する。最初に箔画像１１０を回転させない状態（０°）で確認し、次に箔画像１１０を回転させた状態（１８０°）で確認すする。箔ロールが３本になると箔ロール間の境界が用紙中央に位置しないため、本発明の入稿データ処理による合成箔用印刷データの生成において、通常状態と反転状態での確認処理が必要となる。図３０の例では、境界Ｂ１を跨ぐ箔オブジェクトはない。
【０１５１】
次に、箔用印刷データの箔画像に境界Ｂ１を跨ぐ箔オブジェクトはない場合には（Ｓ８６のＮＯ）、跨ぎ判定部５４５は、すべての境界について境界跨ぎの有無を確認（チェック）したか否かを判定する（Ｓ８７）。全ての境界について確認が完了していない、即ち確認が済んでいない境界が残っている場合には（Ｓ８７のＮＯ）、跨ぎ判定部５４５は、ステップＳ８６に進み、抽出した箔オブジェクトの中に次の境界Ｂ２を跨ぐ箔オブジェクトがあるか否かを判定する。
【０１５２】
図３１は、第４の実施形態に係る、箔オブジェクトの境界跨ぎの有無を判定する方法（２）を示す説明図である。
境界Ｂ１の場合と同様に、跨ぎ判定部５４５は、境界Ｂ２について最初に箔画像１１０を回転させない状態（０°）で箔オブジェクトの跨ぎを確認し、次に箔画像１１０を回転させた状態（１８０°）で確認する。図３１の例では、箔画像１１０を回転させない状態（０°）で、金箔オブジェクト２１ｇ２が境界Ｂ２を跨いでいる。この場合、箔画像１１０に対して後述する画像シフト又は／及び画像回転が行われる。
【０１５３】
その後、再度ステップＳ８７ですべての境界について境界跨ぎの有無を確認したか否かを判定し、全ての境界について確認が完了した場合には（Ｓ８７のＹＥＳ）、図８のステップＳ７に進んで、分割、入れ子合成等を実行する。
【０１５４】
一方、ステップＳ８６において、箔用印刷データの箔画像に境界を跨ぐ箔オブジェクトがある場合には（Ｓ８６のＹＥＳ）、跨ぎ判定部５４５は、図２９のステップＳ８９の処理に進む。
【０１５５】
そして、合成箔用印刷データ生成部５４６は、箔オブジェクトが境界を跨がないよう画像シフト又は／及び画像回転を行う（Ｓ８９）。この処理は、ステップＳ２２，Ｓ２４と同じである。
【０１５６】
次に、跨ぎ判定部５４５は、画像シフト又は／及び画像回転により箔オブジェクトの境界跨ぎを回避できるか否かを判定する（Ｓ９０）。ここで、箔オブジェクトが境界跨ぎを回避できる場合には（Ｓ９０のＹＥＳ）、図８のステップＳ７に進む。
【０１５７】
一方、箔オブジェクトが境界跨ぎを回避できない場合には（Ｓ９０のＮＯ）、２本の箔ロールならば境界跨ぎを回避可能かどうかを判定する（Ｓ９１）。ここで、２本の箔ロールであれば境界跨ぎを回避できる場合には（Ｓ９１のＹＥＳ）、合成箔用印刷データ生成部５４６は該当する２本の箔ロールに対応する合成箔用印刷データを生成し、出力処理部５４９へ出力する。また付属情報画像合成部５４８による箔なし印刷データに対する付属情報の画像合成を行う。そして、箔なし印刷データ及び該当する箔の合成箔用印刷データを、コントローラ５０から印刷装置６０及び箔押し機７０へ送信し、印刷処理及び箔押しを行う（Ｓ９２）。
【０１５８】
次に、合成箔用印刷データ生成部５４６は、上記２本の箔ロールを用いて箔押しを実施した後、残りの箔の合成箔用印刷データを生成する。そして、箔押し機７０は、残りの箔ロールを用いて箔押しを実施する（Ｓ９３）。
【０１５９】
一方、ステップＳ９１において跨ぎ判定部５４５が２本の箔ロールの場合でも境界跨ぎを回避できない場合には（Ｓ９１のＮＯ）、ＣＰＵ５１は、従来の印刷方法を実施する（Ｓ９４）。ステップＳ９３又はＳ９４の処理が終了したら、本入稿データ処理を終了する。
【０１６０】
上述したように、３種類以上の箔について箔押しをする場合は、まず箔押し機７０に３本以上の箔ロールをセットして同時に箔押し可能かどうか精査する。そして、同時に箔押しすることが出来ない場合は、箔ロール交換が最も少ない回数となるよう面付けと箔押し順の制御を行う。
【０１６１】
＜５．第５の実施形態＞
上述した実施形態では、２つの箔用印刷データを生成する際に、一方の箔用印刷データの画像を１８０°回転させたが、１８０°以外の例を説明する。
【０１６２】
図３２は、第５の実施形態に係る入稿データの箔画像例を示す説明図である。
入稿データ１２０は、画像中央（破線部）より左側に金箔オブジェクト２１ｇ１、銀箔オブジェクト２１ｓ１を有し、画像中央より右側に金箔オブジェクト２１ｇ２、銀箔オブジェクト２１ｓ２，２３ｓ１を有する。箔押し機７０に金箔ロール１０ｇと銀箔ロール１０ｓがセットされているとする。
【０１６３】
図３３は、第５の実施形態に係る箔用印刷データを構成する箔画像の回転角度の例を示す。
図３３に示すように、入稿データ１２０に対し第１の合成箔用印刷データ１２２ａと第２の箔用印刷データ１２２ｂからなる第１の組み合わせ、或いは、第１の合成箔用印刷データ１２２ａと第２の箔用印刷データ１２２ｂ’からなる第２の組み合わせを取りうる。第１の組み合わせは、第２の箔用印刷データ１２２ｂを１８０°回転させている。これに対し、第２の組み合わせでは、第２の箔用印刷データ１２２ｂ’を９０°（−９０°）回転させている。第２の組み合わせでは、第２の箔用印刷データ１２２ｂ’の箔画像が縦長で、‘↑金銀箔データ２の給紙方向’の情報が、箔画像の短手方向に設けられた断裁領域２６ｕ’に形成されている。このように構成しても、箔オブジェクトが用紙中央に跨らないため、本発明の箔押し処理を適用することができる。
【０１６４】
＜６．その他＞
なお、上述した第１〜第５の実施形態では、コントローラ５０において入稿された印刷データから箔なしの印刷データと各色の箔用印刷データを生成する例を挙げたが、印刷データは必須ではない。本発明は、各色の箔用印刷データを生成するための箔画像データをコントローラ５０（入稿データ処理部５４）に入稿することにより実施可能である。また、各色の箔用印刷データがコントローラ５０（入稿データ処理部５４）に入稿されることでも実施可能である。
【０１６５】
さらに、クライアント端末３０が印刷設定情報と入稿データ（印刷データ）を含む印刷ジョブを生成してコントローラ５０へ送信したが、コントローラ５０において入稿データを生成してもよい。
【０１６６】
また、箔押し機７０で箔ロールに対応する各色の箔用印刷データを生成してもよい。
【０１６７】
また、上述した第１〜第５の実施形態では、コントローラ５０が箔なし印刷データ及び各色の箔用印刷データを生成し、印刷装置６０及び箔押し機７０に送信する例を挙げたが、本発明はこの例に限定されない。例えばコントローラ５０の機能を印刷装置６０に適用し、印刷装置６０がコントローラ５０の機能を備える構成としてもよい。
【０１６８】
さらに、本発明は上述した各実施形態例に限られるものではなく、特許請求の範囲に記載した本発明の要旨を逸脱しない限りにおいて、その他種々の応用例、変形例を取り得ることは勿論である。
【０１６９】
例えば、上述した実施形態例は本発明を分かりやすく説明するために装置及びシステムの構成を詳細且つ具体的に説明したものであり、必ずしも説明した全ての構成を備えるものに限定されるものではない。また、ある実施形態例の構成の一部を他の実施形態例の構成に置き換えることは可能である。また、ある実施形態例の構成に他の実施形態例の構成を加えることも可能である。また、各実施形態例の構成の一部について、他の構成の追加、削除、置換をすることも可能である。
【０１７０】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリやハードディスク、ＳＳＤ（Solid State Drive）等の記録装置、又はＩＣカード、ＳＤカード、ＤＶＤ等の記録媒体に置くことができる。
【０１７１】
また、制御線や情報線は説明上必要と考えられるものを示しており、製品上必ずしも全ての制御線や情報線を示しているとは限らない。実際には殆ど全ての構成が相互に接続されていると考えてもよい。
【０１７２】
また、本明細書において、時系列的な処理を記述する処理ステップは、記載された順序に沿って時系列的に行われる処理はもちろん、必ずしも時系列的に処理されなくとも、並列的あるいは個別に実行される処理（例えば、並列処理あるいはオブジェクトによる処理）をも含むものである。
【符号の説明】
【０１７３】
１０ｇ…金箔ロール、  １０ｓ…銀箔ロール、  １０ｃ…銅箔ロール、  ２０…入稿データ、２１ｇ１〜２１ｇ２…金箔  オブジェクト、  ２１ｓ１〜２１ｓ２…銀箔オブジェクト、  ２２ｓ１〜２２ｓ２…銀箔オブジェクト、  ２３ｇ１…金箔オブジェクト（文字）、  ２３ｓ１…銀箔オブジェクト、  ２５Ｎ…箔なし印刷データ、  ２５Ｇ…第１の箔用印刷データ、  ２５Ｓ…第２の箔用印刷データ、  ２６ｔ，２６ｕ…断裁領域、  ２７，２８…画像、  ３０…クライアント端末、  ３１…入稿データ、  ４０…印刷システム、  ４１…箔なし印刷データ、  ４２ａ…第１の合成箔用印刷データ、  ４２ｂ…第２の合成箔用印刷データ、  ５０…コントローラ（情報処理装置）、  ５１…ＣＰＵ、  ５４…入稿データ処理部、  ６０…印刷装置、  ７０…箔押し機、  ７６…第１箔押し処理部、  ７７…第２箔押し処理部、  ８０，８０Ａ〜８０Ｃ…印刷データ、  ８１…画像、  ８１ｒ…回転後の画像、    ５４４…箔用印刷データ生成部、  ５４５…跨ぎ判定部、  ５４６…画像調整部、  ５４７…合成箔用印刷データ生成部、  ５４８…付属情報画像合成部、  Ｃ…境界、  Ｃｉ…箔画像中心、  Ｃｒ…中心点、  Ｄ１，Ｄ２…付属情報、  Ｍ…アイマーク、  Ｐ…用紙
【図１】
2018062095.tif 000003
【図２】
2018062095.tif 000004
【図３】
2018062095.tif 000005
【図４】
2018062095.tif 000006
【図５】
2018062095.tif 000007
【図６】
2018062095.tif 000008
【図７】
2018062095.tif 000009
【図８】
2018062095.tif 000010
【図９】
2018062095.tif 000011
【図１０】
2018062095.tif 000012
【図１１】
2018062095.tif 000013
【図１２】
2018062095.tif 000014
【図１３】
2018062095.tif 000015
【図１４】
2018062095.tif 000016
【図１５】
2018062095.tif 000017
【図１６】
2018062095.tif 000018
【図１７】
2018062095.tif 000019
【図１８】
2018062095.tif 000020
【図１９】
2018062095.tif 000021
【図２０】
2018062095.tif 000022
【図２１】
2018062095.tif 000023
【図２２】
2018062095.tif 000024
【図２３】
2018062095.tif 000025
【図２４】
2018062095.tif 000026
【図２５】
2018062095.tif 000027
【図２６】
2018062095.tif 000028
【図２７】
2018062095.tif 000029
【図２８】
2018062095.tif 000030
【図２９】
2018062095.tif 000031
【図３０】
2018062095.tif 000032
【図３１】
2018062095.tif 000033
【図３２】
2018062095.tif 000034
【図３３】
2018062095.tif 000035